(57)【要約】【課題】  足押圧部に設けられた内カバー部を一度外に引き出した後に足押圧部の空間部に再配置しようとする際に、内カバー部を空間部に適切に案内して空間部以外の隙間に入り込ませないようにし、内カバー部に挿入される足も確実に空間部へ導けるマッサージ器を提供する。【解決手段】  足押圧部２０内で、帯状の案内片２９が足上面部分用の押圧手段の下側に位置すると共に、カバー部２７内で内カバー部２８の袋口縁部分より上側に案内片２９一端部が位置するようにされて、外に引き出された内カバー部２８を空間部２５に戻す場合に、案内片２９が内カバー部２８の上側に位置して、内カバー部２８がこの案内片位置より上側に向かうのを阻止することから、内カバー部２８を空間部２５内へ正しく再配置することができ、使用者が足のマッサージを受けようとする場合に、内カバー部内に入れた足を空間部２５に適切に挿入した状態にできる。【選択図】  図１４
2019047836.tif 000002
【特許請求の範囲】
【請求項１】
脚のマッサージ対象箇所を押す押圧手段を有して、マッサージ対象箇所を含む脚の所定範囲を取り囲むように左右の脚にそれぞれ装着される脚押圧部と、
足のマッサージ対象箇所を押す押圧手段を有して、マッサージ対象箇所を含む左右の足を収容可能な足押圧部と、
前記脚押圧部及び足押圧部の各押圧手段と接続され、押圧手段を作動させる機構部とを備え、
前記足押圧部が、左右の各足をそれぞれ挿脱可能な空間部を有し、当該空間部に足を挿入した状態における、足のマッサージ対象箇所としての足の上面部分の外側近傍となる箇所に前記押圧手段を少なくとも位置させると共に、空間部に対し足を挿脱するための開口状態の入口部分を除いて、所定のカバー部に外側を覆われてなり、
当該カバー部が、前記空間部に挿入されて足を取り囲む、袋状の内カバー部を一体に有してなり、
カバー部における前記内カバー部の袋口縁部分上側に一端部を取り付けられ、他端部を足押圧部における足の爪先部が載る部位より前方となる所定箇所に取り付けられて、前記一端部と他端部間の中間部分が前記足の上面部分外側の押圧手段より下側に位置する、帯状の案内片を有することを
特徴とするマッサージ器。
【請求項２】
前記請求項１に記載のマッサージ器において、
前記足押圧部における、前記案内片の他端部の取付箇所より後方となる、足の爪先部が載る部位に、ヒータが配設されることを
特徴とするマッサージ器。
【請求項３】
前記請求項２に記載のマッサージ器において、
前記足押圧部が、少なくとも足の下側に位置して足を下から支持する略台状の押圧部本体を有し、
前記ヒータが、前記押圧部本体における足の爪先部が載る部位に設けられた凹部に挿入されて配設され、
前記凹部より大きい略板状体で形成され、熱伝導可能で且つ容易に変形しない材質製とされるカバーが、凹部及び押圧部本体における凹部周囲の所定範囲部分を上から覆うように配設されることを
特徴とするマッサージ器。
【発明の詳細な説明】
【技術分野】
【０００１】
本発明は、マッサージ用の押圧手段を有する押圧部を脚や足の周りを取り囲むように配設して、押圧手段を作動させて用いるマッサージ器に関する。
【背景技術】
【０００２】
下肢部（脚、足）をマッサージする機器は、多種多様なものが用いられているが、一般の使用者が簡便に用いることができるものとして、エアバッグを備えて脚や足（下肢部各部）を筒状又は袋状に包囲可能な押圧部を、脚や足の周りに装着し、エアバッグに空気を給排する機構を作動させてエアバッグを膨縮させ、エアバッグにより脚や足のマッサージ対象箇所を押圧、圧迫してマッサージを行う装置が広く用いられている。
【０００３】
このようなマッサージ装置は、エアバッグを有して脚や足に装着される押圧部と、空気の給排機構や操作部分のある機構部とが分離される一方、これら押圧部と機構部とをホース等で接続し、このホース等を通じて空気をやり取りする簡略な構造とされることが多かった。
【０００４】
こうした従来の分離型とされた簡易なマッサージ装置は、マッサージを実行する押圧部と給排機構や操作部分のある機構部とが離れているため、マッサージ使用の度に、使用者は押圧部だけでなく機構部を保管した場所から移動させて使用する場所まで持ち運ぶ作業が必要となり、また、使用する場所を変える際も機構部を持って新たな使用場所に移動する必要があるなど、煩わしい面があった。
【０００５】
さらに、押圧部を直接使用者に装着する簡略な構造としている分、使用開始に先立ち、押圧部を脚や足の挿入のために開閉したり、脚や足の各部に巻き付ける準備作業を要し、また必要に応じてホース端部を押圧部や機構部に連結接続する作業を伴う場合もあることから、すぐに使用できないという問題点を有していた。
【０００６】
一方、脚や足を押圧するエアバッグ等の押圧部分と各種機構部分とを全て一体化した据え置き型の装置も用いられていた。こうした据え置き型のマッサージ装置は、使用者がマッサージ対象の脚や足を、自立するマッサージ装置の押圧部分に添わせるように位置させることで、すぐにマッサージを受けられる状態が得られる。しかしながら、このような従来の据え置き型の装置は、脚へのマッサージ実行部と足へのマッサージ実行部とを一体に固定支持する構造を有するため、支持強度を付与した分、構造が複雑化、大型化して、使用のために保管場所から取り出したり逆に収納したりするといった点で問題となりやすく、また重量も大であり、移動等の取り扱いに難があった。
【０００７】
また、従来の据え置き型の装置では、使用者が脚や足を離さない限りは、押圧部分がマッサージ中に勝手に脚や足から離れていくことの無いよう、各押圧部分の位置はほぼ固定されている。このため、マッサージ中は脚や足も押圧部分との位置関係を変えないよう動かない状態を余儀なくされ、使用者は一定の姿勢をとる他無く、これが使用者によってはリラックス感を損なう煩わしさとなって、使用者を十分にリラックスした状態にできないままマッサージを続ける場合があった。
【０００８】
これら従来のマッサージ装置の様々な問題点を解決するものとして、本出願人により、脚の押圧部分と足の押圧部分の各構造を最適化し、押圧部分の使用準備の手間を軽減することと、押圧部分相互の位置関係の自由度を確保することとを両立でき、速やかに使用を開始できると共に脚の動きの制約を減らしたマッサージ器が提案されている。この改良されたマッサージ器の例は、特開２０１５−１８１５９３号公報に示される。
【先行技術文献】
【特許文献】
【０００９】
【特許文献１】特開２０１５−１８１５９３号公報
【発明の概要】
【発明が解決しようとする課題】
【００１０】
従来のマッサージ器は前記特許文献に示される構成となっており、脚の所定範囲を取り囲んで押圧手段でのマッサージを可能とする脚押圧部と、足を空間部に挿入すると押圧手段でのマッサージが可能となる足押圧部とが連結一体化されると共に、押圧手段を作動させる機構部が、使用者による操作部も含めて足押圧部と一体化され、且つ常に脚押圧部と足押圧部に接続状態とされることで、準備時や実際の使用時に、脚押圧部、足押圧部、及び機構部を個別に取り扱わずに済み、これらを一括して取り扱える分、使用者の煩わしさを解消できるものであった。
【００１１】
また、脚押圧部と足押圧部とを可撓性のある連結部で連結し、脚押圧部を足押圧部に対し動かせることで、脚押圧部の装着状態でも、足押圧部に挿入した足より上の脚部分の動きが脚押圧部でほとんど拘束されないこととなり、足押圧部に足を挿入した状態で使用者が足首とその上側の脚部分を動かしやすく、拘束感を抑えてリラックスした状態でマッサージを受けられる上、非使用時は脚押圧部を足押圧部上に重ねるように連結部で折り曲げてコンパクト化することができ、収納のためのスペースを抑えられる、という効果を有していた。
【００１２】
このような従来のマッサージ器では、足押圧部の空間部に挿入した足が押圧手段であるエアバッグなどの内部機構に直接触れないように、空間部に挿入されて内部機構を内側から覆う袋状の内カバー部が、外面のカバー部と一体に設けられることが多かった。この内カバー部については、マッサージ器の使用を経て、汚れたり湿気を帯びたりする場合があることから、清掃や乾燥等のために袋状の内カバー部を裏返し状態で外に引き出すことが、比較的高い頻度で行われている。
【００１３】
この引き出された内カバー部を空間部に戻す際に、使用者が、この内カバー部が本来位置すべき足を入れる空間部ではない足押圧部の別の隙間、例えば、足甲を押圧する押圧手段の上側に生じている隙間など、に誤って内カバー部を入れてしまうことがある。特に、足甲を押圧する押圧手段が可撓性のあるエアバッグである場合、このエアバッグを下方に撓ませて、その上側にある隙間を下に広げながら、この隙間に内カバー部を誤って入れてしまう事態が起こりやすかった。
【００１４】
このように内カバー部を別の隙間に入れた場合、使用者がマッサージを受けようとして足押圧部に足を入れる際に、通常は内カバー部に沿って足を入れることから、足が内カバー部に案内される形で本来の空間部ではない別の隙間に入り込んだ状態となってしまう。こうして足が空間部ではない別の隙間に入り込んだ状態では、足と押圧手段との相対位置関係が正常時から大きくずれて、足が押圧手段によるマッサージを正しく受けられなくなることに加え、本来は足が入ることのない隙間に無理やり入れた足から足押圧部の内部機構に想定外の力が加わり、内部機構を破損させるおそれがあった。
【００１５】
本発明は前記課題を解消するためになされたもので、足押圧部に設けられた内カバー部を一度外に引き出した後に足押圧部の空間部に再配置しようとする際に、内カバー部を空間部に適切に案内して空間部以外の隙間に入り込ませず、内カバー部に沿って挿入される足も確実に空間部へ導け、足押圧部における足へのマッサージを適切に実行できる、マッサージ器を提供することを目的とする。
【課題を解決するための手段】
【００１６】
本発明の開示に係るマッサージ器は、脚のマッサージ対象箇所を押す押圧手段を有して、マッサージ対象箇所を含む脚の所定範囲を取り囲むように左右の脚にそれぞれ装着される脚押圧部と、足のマッサージ対象箇所を押す押圧手段を有して、マッサージ対象箇所を含む左右の足を収容可能な足押圧部と、前記脚押圧部及び足押圧部の各押圧手段と接続され、押圧手段を作動させる機構部とを備え、前記足押圧部が、左右の各足をそれぞれ挿脱可能な空間部を有し、当該空間部に足を挿入した状態における、足のマッサージ対象箇所としての足の上面部分の外側近傍となる箇所に前記押圧手段を少なくとも位置させると共に、空間部に対し足を挿脱するための開口状態の入口部分を除いて、所定のカバー部に外側を覆われてなり、当該カバー部が、前記空間部に挿入されて足を取り囲む、袋状の内カバー部を一体に有してなり、カバー部における前記内カバー部の袋口縁部分上側に一端部を取り付けられ、他端部を足押圧部における足の爪先部が載る部位より前方となる所定箇所に取り付けられて、前記一端部と他端部間の中間部分が前記足の上面部分外側の押圧手段より下側に位置する、帯状の案内片を有するものである。
【００１７】
このように本発明の開示によれば、空間部に挿入した足の上面部分を押圧手段で押してマッサージ可能な足押圧部で、帯状の案内片が足上面部分用の押圧手段の下側に位置すると共に、カバー部内において内カバー部の袋口縁部分より上側に案内片一端部が位置するようにされて、空間部から引き出された内カバー部を空間部に戻す場合に、案内片が内カバー部の上側に位置して、内カバー部がこの案内片位置より上側に向かうのを阻止することにより、内カバー部の押圧手段上側の隙間への進行を案内片で防ぎつつ、内カバー部が空間部の奥方、すなわち前方側の端まで挿入される際に案内片に案内、誘導されることとなり、内カバー部を押圧手段の下側の空間部内へ正しく再配置することができ、使用者が内カバー部内に足を入れて再度マッサージを受けようとする場合に、内カバー部内に入れた足を空間部に適切に挿入した状態にできる。そして、内カバー部を介して空間部に正しく入った足からは、足押圧部の押圧手段等の内部機構に過大な力が加わることはなく、内部機構の破損も確実に防止できる。
【００１８】
また、案内片他端部は足押圧部における足の爪先部が載る部位より前方に取り付けられることで、案内片が足の挿脱を妨げることはなく、足押圧部の空間部で足を特に支障なく移動させられ、足押圧部の足を載せるべき箇所に足を無理なく位置させることができる。
【００１９】
また、本発明の開示に係るマッサージ器は必要に応じて、前記足押圧部における、前記案内片の他端部の取付箇所より後方となる、足の爪先部が載る部位に、ヒータが配設されるものである。
【００２０】
このように本発明の開示によれば、足押圧部における足の爪先部を載せる部位にヒータを設け、空間部に挿入されてマッサージを受けようとする足に対し、ヒータで発生させた熱を下方から伝えられることにより、押圧手段によるマッサージと同時又はマッサージとは別途に、足をその爪先部を中心として温めることができ、マッサージを受ける足を冬季等においても足先が冷たくない快適な状態に維持して、マッサージ器の利用を促せると共に、ヒータによる足への加温を行うことで、足の血行促進等について、押圧手段によるマッサージとの相乗効果が期待でき、足をより一層リラックスした状態とすることができる。
【００２１】
また、本発明の開示に係るマッサージ器は必要に応じて、前記足押圧部が、少なくとも足の下側に位置して足を下から支持する略台状の押圧部本体を有し、前記ヒータが、前記押圧部本体における足の爪先部が載る部位に設けられた凹部に挿入されて配設され、前記凹部より大きい略板状体で形成され、熱伝導可能で且つ容易に変形しない材質製のカバーが、凹部及び押圧部本体における凹部周囲の所定範囲部分を上から覆うように配設されるものである。
【００２２】
このように本発明の開示によれば、ヒータが押圧部本体の凹部に挿入されて配設されると共に、ヒータのある凹部を上から覆うカバーが、押圧部本体の凹部周囲部分も覆う大きさとして設けられることにより、ヒータからの熱がカバーを通じて足に伝わる一方、足からカバーに加わる荷重は、押圧部本体の凹部周囲部分に広く分散されて、凹部内のヒータには伝わらない状態とすることができ、ヒータに外力が加わらず、ヒータの破損を確実に防止できる。
【図面の簡単な説明】
【００２３】
【図１】本発明の一実施形態に係るマッサージ器の斜視図である。
【図２】本発明の一実施形態に係るマッサージ器の側面図である。
【図３】本発明の一実施形態に係るマッサージ器の平面図である。
【図４】本発明の一実施形態に係るマッサージ器の一部表面材取外し状態の背面図である。
【図５】本発明の一実施形態に係るマッサージ器の足押圧部内部構造説明図である。
【図６】本発明の一実施形態に係るマッサージ器のブロック図である。
【図７】本発明の一実施形態に係るマッサージ器における給気系統図である。
【図８】本発明の一実施形態に係るマッサージ器の足押圧部への足の挿入状態説明図である。
【図９】本発明の一実施形態に係るマッサージ器における脚押圧部の脚への装着状態及び押圧状態説明図である。
【図１０】本発明の一実施形態に係るマッサージ器における足裏部の押圧状態及びヒータによる足爪先部加温状態の説明図である。
【図１１】本発明の一実施形態に係るマッサージ器における足甲部及び踵部の押圧状態説明図である。
【図１２】本発明の一実施形態に係るマッサージ器の外カバー取付過程説明図である。
【図１３】本発明の一実施形態に係るマッサージ器の外カバー取付状態説明図である。
【図１４】本発明の一実施形態に係るマッサージ器における足押圧部内部の案内片配置状態説明図である。
【図１５】本発明の一実施形態に係るマッサージ器の内カバー部引き出し状態説明図である。
【図１６】本発明の一実施形態に係るマッサージ器の内カバー部再挿入開始状態説明図である。
【図１７】本発明の一実施形態に係るマッサージ器における内カバー部の再挿入進行状態説明図である。
【図１８】本発明の一実施形態に係るマッサージ器における内カバー部の再挿入完了状態説明図である。
【発明を実施するための形態】
【００２４】
以下、本発明の一実施形態に係るマッサージ器を前記図１ないし図１８に基づいて説明する。
前記各図において本実施形態に係るマッサージ器１は、前記押圧手段としてのエアバッグ１２、１３を有して、マッサージ対象のふくらはぎを含む脚６０の膝下部分を取り囲むように左右の脚にそれぞれ装着される二つの脚押圧部１０と、前記押圧手段としてのエアバッグ２２、２３、２４を有して、マッサージ対象箇所を含む左右の足をそれぞれ収容可能に配設される足押圧部２０と、これら脚押圧部１０及び足押圧部２０の各エアバッグと接続されてこれらを作動させる機構部３０と、可撓性材で形成されて脚押圧部１０と足押圧部２０とを一体に連結する連結部４０と、足押圧部２０における足の爪先部が載る部位に配設されるヒータ５０とを備える構成である。
【００２５】
前記脚押圧部１０は、脚６０のマッサージ対象箇所、すなわち、ふくらはぎを押すエアバッグ１２、１３を有して、脚６０の膝下部分に巻回される、可撓性のある略帯状体とされる構成である。
【００２６】
この脚押圧部１０は、脚６０の膝下部分への巻回状態で一端部を他部位に重ねて最外層に位置させると共に、重なる内面と外面の所定箇所同士を面ファスナー等の係合手段で着脱可能に係合させることで、脚６０の膝下部分の外周で連続し、エアバッグ１２、１３をふくらはぎの外側近傍に位置させる状態を維持可能な筒状形態とされる。この状態で、脚押圧部１０は各エアバッグ１２、１３により、ふくらはぎを押してマッサージを行える仕組みである。
【００２７】
エアバッグ１２、１３は、脚押圧部１０が脚６０を取り囲んで巻回された状態で、ふくらはぎ後方とふくらはぎの左右で、ふくらはぎを取り囲むように複数配設される（図２、図３、図４参照）。
【００２８】
ふくらはぎの左右に位置することとなる第一のエアバッグ１２は、左エアバッグ部１２ａと、右エアバッグ部１２ｂと、これら左右のエアバッグ部を連通させると共に、機構部３０から伸びる空気送通用の管２６と接続される中間流路部１２ｃとを備える構成である。中間流路部１２ｃを介して連通する左右のエアバッグ部１２ａ、１２ｂは、同時に膨縮して同じタイミングでふくらはぎの左右のマッサージ対象箇所を押すこととなり、ふくらはぎを手で掴むような押圧刺激を与えることができる。
【００２９】
一方、第二のエアバッグ１３は、機構部３０の給排機構と管２６を介して接続され、ふくらはぎの後方に位置するよう配置される構成である。脚押圧部１０の展開状態で、第二のエアバッグ１３は、第一のエアバッグ１２の左右のエアバッグ部１２ａ、１２ｂに挟まれた中間に位置することとなる。
【００３０】
脚押圧部１０が脚６０を取り囲んで巻回された状態で、第一のエアバッグ１２の中間流路部１２ｃが、第二のエアバッグ１３の下側に位置する（図４参照）。なお、脚押圧部１０が脚を取り囲んで巻回された状態で、第一のエアバッグ１２の中間流路部１２ｃが、第二のエアバッグ１３の下側に位置するようにしているが、これに限らず、第一のエアバッグ１２の中間流路部１２ｃが、第二のエアバッグ１３の上側に位置する配置構成とすることもできる。
【００３１】
各エアバッグ１２、１３は、機構部３０の空気給排機構とそれぞれ管２６を介して空気流通可能に接続されており、各エアバッグ１２、１３はその給排気系統を別々のものとされ、互いに独立して膨縮可能とされる仕組みである。
【００３２】
各脚押圧部１０に設けられるエアバッグの数は前記二組に限られるものではなく、使用態様に応じて適宜設定できる。また、エアバッグの配置も、左右のエアバッグ部の中間に後方のエアバッグが挟まれる配置に限らず、エアバッグを上下方向にも複数並べたり、各エアバッグの形状や大きさをふくらはぎのマッサージ対象箇所の性質に応じて大きく異ならせ、脚押圧部においてエアバッグの形状や大きさに応じて並べた配置にする構成とすることもできる。
【００３３】
脚押圧部１０は、エアバッグ１２、１３を外側から被覆して水分や汚れ等から保護する可撓性素材製の表面材１０ａで覆われる構成である。表面材１０ａは、使用者や他物体との接触、摩擦や各エアバッグ１２、１３からの圧力が加わっても破損しない丈夫な可撓性素材製のシート状体で形成され、エアバッグ１２、１３や管２６を被覆し保護する。
【００３４】
なお、表面材１０ａのうち、脚押圧部１０の巻回状態で最も内側で脚６０に直接触れる部分は、脚押圧部１０の他部分に対し着脱可能として、必要に応じて取り外して交換したり、洗って再使用することができるようにしてもかまわない。
この脚押圧部１０は、可撓性を有する連結部４０を介して、足押圧部２０における空間部２５入口の周辺所定部分に一体に連結される。
【００３５】
前記連結部４０は、可撓性を有する略シート状体を二枚重ねとしたものとされ、足押圧部２０における空間部２５入口の周辺部分に所定長さにわたり連結すると共に、脚押圧部１０下端部に所定長さにわたり連結する構成である。詳細には、連結部４０は、足押圧部２０における空間部２５入口の周辺部分のうち、足挿入状態で踵の背面側から左右側方に至る範囲の部位に一端部が連結し、そのまま上方に延伸して、脚押圧部１０下端部のうち、脚への装着状態で脚の背面側から左右側方に至る範囲の部位に他端部が連結する。これにより連結部１０は、脚押圧部１０と足押圧部２０との間で、そこに位置する脚下部及び足首をそれらの背面側から左右側方にかけて取り囲む、略Ｕ字状の横断面形状を有することとなる。
【００３６】
こうして連結部４０の上下が、足押圧部２０の空間部２５入口周辺部分と脚押圧部１０の下端部にそれぞれ所定長さにわたり連結していることで、脚上下方向の軸周りについての脚押圧部１０と足押圧部２０の相対位置関係を維持しやすい。すなわち、脚押圧部１０を脚６０に装着する際に、連結部４０自体の形態を維持しようとする性質に基づいて、脚押圧部１０が足押圧部２０に対し前記軸周りにひねられて正しい向きからずれている状態が生じにくく、且つ仮にひねられていても連結部４０の態様からそのひねられた状態を使用者が容易に判別でき、使用者が連結部４０を歪み無く延びた状態に整えるのに伴って、脚押圧部１０の例えば脚背面側に位置すべき部位を正しく脚の背面側に配置させることができる。
【００３７】
このように、可撓性を有する連結部４０の側方への曲げの自由度は確保しつつ、脚６０に対する脚押圧部１０の位置決めを容易にし、且つその精度を高めて、使用前に速やかに各エアバッグ１２、１３をふくらはぎ部分の周りに正しく位置させられ、ふくらはぎを適切に押圧できる。
【００３８】
なお、使用者による脚押圧部１０の脚装着時における位置決め用の目安として、ふくらはぎ背面に位置させる第二のエアバッグ１３の中心を示すマーク（目印）を、別途脚押圧部１０外面に設けることもできる。
【００３９】
前記足押圧部２０は、左右の各足７０をそれぞれ挿脱可能な空間部２５を有し、この空間部２５に足７０を挿入した状態における、足７０の複数のマッサージ対象箇所を押圧可能とされるエアバッグ２２、２３、２４をそれぞれ設けられる構成である。
【００４０】
より詳細には、足押圧部２０は、足７０を空間部２５に挿入した状態で、足７０の下側に位置して足７０を下から支えると共に、各エアバッグ２２、２３、２４を取り付けられ、機構部３０を内部に収容する略台状の押圧部本体２１と、この押圧部本体２１の外側を一部を除いて覆うカバー部２７と、両端部をカバー部２７所定箇所と押圧部本体２１の足先側の所定箇所にそれぞれ取り付けられる帯状の案内片２９とを備える構成である。
【００４１】
この足押圧部２０では、押圧部本体２１と各エアバッグ２２、２３、２４、並びにカバー部２７が所定の配置で組み合わされることで、左右の各足を収容する空間部２５が左右それぞれに生じる。この空間部２５は、開口状態の入口部分で左右の各足をそれぞれ挿脱可能であり、足挿入状態で足首に位置することとなる入口部分以外は、カバー部２７に覆われている。
【００４２】
前記押圧部本体２１は、弾性材製の略台状体であり、上側に各エアバッグ２２、２３、２４を取り付けられると共に空間部２５を生じさせており、足を挿入した状態での踵位置より前側の内部には機構部３０を収容するスペースを有し、且つ、足の爪先部が載る部位にはヒータ５０配設用の凹部２１ａを設けられてなるものである。この押圧部本体２１における足挿入状態での踵位置の下側となる部分は、弾性材が十分な厚さとされており、踵から加わる荷重を無理なく支持でき、荷重が他の部分に影響を与えることはない。
【００４３】
押圧部本体２１に取り付けられるエアバッグ２２、２３、２４は、空間部２５に足を挿入した状態での足７０の各マッサージ対象箇所の外側近傍にそれぞれ位置するようにされる。
【００４４】
詳細には、第三のエアバッグ２２が、マッサージ対象箇所としての、踵と足先を除く足下面（足裏）部分に沿ってこれらを押圧可能に配設される。また、第四のエアバッグ２３が、マッサージ対象箇所としての足の上面（足甲）部分の外側近傍となる箇所でこれらを押圧可能に配設される（図２、図５参照）。加えて、第五のエアバッグ２４が、マッサージ対象箇所としての踵の背面から左右両側面にかけての部位を取り囲むようにして、こうした部位を押圧可能に配設される（図２、図４参照）。
【００４５】
足７０の踵と足先を除く足下面（足裏）部分の外側（下側）近傍に位置することとなる第三のエアバッグ２２は、その前側の中央部分の下側に位置する部位で、機構部３０の給排機構と連通する構成である。第三のエアバッグ２２が膨縮することで、所定のタイミングで足の踵と足先を除く足裏部分を押してマッサージとしての刺激を与えることとなる。この第三のエアバッグ２２の上面には、膨張時に足下面に与える刺激を強化するための突起部２２ａを設けることができる（図２、図５参照）。
【００４６】
足７０の足甲部分の外側（上側）近傍に位置することとなる第四のエアバッグ２３は、足内側部分の側方に位置する部位で、管（図示を省略）と連結され、この管を介して機構部３０の給排機構と接続される構成である。
【００４７】
こうして足の上下に位置する第三のエアバッグ２２と第四のエアバッグ２３は、互いに対向する配置とされる。そして、上側の第四のエアバッグは、押圧部本体３１における第三のエアバッグ２２の設置面に連結されて、足の足甲から足裏に及ぶ範囲を取り囲む閉じた領域を形成しており、第三のエアバッグ２２と第四のエアバッグ２３の間に足を挿入した状態では、各エアバッグが足に対しずれることはない。
【００４８】
さらに、第五のエアバッグ２４は、足７０の踵部分の背面から左右側面にわたる部位の外側近傍に位置するように設けられており、足の踵側面をマッサージ対象箇所として押すことができる仕組みである。この第五のエアバッグ２４は、踵の背面部分の外側に位置する部位で、管２６と連結され、この管２６を介して機構部３０の空気給排機構と空気流通可能に接続される。ただし、この第五のエアバッグ２４は、機構部３０の空気給排機構と接続される管を、第三のエアバッグ２２と一部共用しており、第三のエアバッグ２２と同じタイミングで膨縮可能とされる。
一方、第三のエアバッグ２２（及び第五のエアバッグ）と、第四のエアバッグ２３とは、その給排気系統を別々のものとされており、互いに独立して膨縮可能とされる仕組みである。
【００４９】
足押圧部２０に設けられるエアバッグの数は前記三組に限られるものではなく、使用態様に応じて適宜設定できる。また、エアバッグの配置も、三つのエアバッグ部が足各部に対応して分散した配置に限らず、エアバッグを一部重ねて並べたり、各エアバッグの形状や大きさを足のマッサージ対象箇所の性質に応じて大きく異ならせ、押圧部においてエアバッグの形状や大きさに応じて並べた配置にする構成とすることもできる。さらに、各エアバッグごとに管や電磁弁等の給排機構を独立させたものとしたり、別の複数種類のエアバッグで管や給排機構を共用するようにしたりなど、エアバッグと空気給排機構との接続関係は用途や対象等に応じて任意に設定してかまわない。
【００５０】
押圧部本体２１の内部には、機構部３０が配設されるが、第三のエアバッグ２２の大部分は、この機構部３０と重なる配置とされており、第三のエアバッグ２２を膨張させた場合、下側に機構部３０が存在することで、下側への膨張を抑えられる分、押圧力が拡散せず上側に向かうこととなり、足裏部分を効率よく押圧できることとなる。
この押圧部本体２１は、各エアバッグ、機構部、配管材その他を含む状態でカバー部２７に覆われる。
【００５１】
カバー部２７は、使用者や他物体との接触、摩擦や各エアバッグ２２、２３からの圧力が加わっても破損しない丈夫な可撓性素材製のシート状体で形成され、押圧部本体２１と共に、エアバッグ２２、２３、２４や機構部３０等もまとめて被覆し、水分や汚れ等から保護する略袋形状とされる構成である。カバー部２７は、所定の係合手段（スライドファスナーなど）で開閉可能な外周の開口部から押圧部本体２１とこれと一体のエアバッグ２２、２３、２４や機構部３０を出し入れして着脱可能に被覆する仕組みである。
【００５２】
このカバー部２７は、空間部２５に挿入されて足を取り囲む、袋状の内カバー部２８を一体に有してなる。内カバー部２８は、その袋口縁部分を全周にわたってカバー部２７に縫着等により一体に取り付けられており、足押圧部２０の空間部２５に足を挿入する場合は、常に足はこの内カバー部２８内に挿入される状態となる。すなわち、内カバー部２８は、足押圧部２０の空間部２５に足を挿入、収容した状態で足押圧部２０の最も内側で足に直接触れる部分となり、足は内カバー部２８を介してエアバッグ２２、２３からの押圧を受けることとなる。
【００５３】
この内カバー部２８は、空間部２５に挿入された状態から、袋を裏返しにするようにして、足押圧部２０における開口状態の入口部分から外に引き出すことができ（図１５参照）、マッサージ器の使用を経て、汚れたり湿気を帯びたりした内カバー部２８の清掃や乾燥等が図れる仕組みである。
【００５４】
この他、カバー部２７は、踵側で踵部分の第五のエアバッグ２４の外側を覆うように上方に延伸形成され、上部で連結部４０の表面とつながってデザイン上の統一感を得ている。そして、機構部３０から踵部分の第五のエアバッグ２４、及び脚押圧部１０の各エアバッグ１２、１３に向かう配管は、第五のエアバッグ２４とカバー部２７の間を通って各エアバッグに接続され、このうち連結部４０を経由する脚押圧部１０の各エアバッグに向かう配管は、連結部４０に内蔵されて外からは見えないようにされる（図４参照）。
【００５５】
前記案内片２９は、可撓性のある帯状体で形成され、カバー部２７における内カバー部２８の袋口縁部分取り付け部位より上側の所定箇所に一端部を取り付けられ、他端部を押圧部本体２１における足の爪先部が載る部位より前方となる所定箇所に取り付けられて、前記一端部と他端部間の中間部分が第四のエアバッグ２３より下側に位置するようにされる構成である。
【００５６】
この案内片２９の一端部側は、いったん引き出した内カバー部２８を空間部２５に戻す場合に、案内片２９の横から足上面の押圧手段である第四のエアバッグ２３の上側の隙間に内カバー部２８が入り込むことを確実に阻止できるように、使用時における内カバー部２８への足挿入の際に案内片２９が内カバー部２８を介して足に違和感を与えない範囲内で、できるだけ幅を大きくするのが好ましい（図５、図１４参照）。
【００５７】
足押圧部２０は、以上のように押圧部本体２１やカバー部２７他を備えて、両足下面より広く平らな底面部を有する形状とされ、空間部２５の入口部分や連結された脚押圧部１０が上で底面部が下となる自然で無理のない位置関係では、安定した状態で床に載置できる。
【００５８】
こうして床に載置すると、足押圧部２０は空間部２５の入口部分が上向きの状態で問題なく自立でき、使用者は足押圧部２０を特に手等で支えたりすることなく、単に床に置いた状態で空間部２５の入口部分から足を容易に挿入でき（図８参照）、速やかにマッサージ可能状態への移行を進められる。そして、床に載置された足押圧部２０に両足を挿入すると、自然に足裏が下に向く姿勢となり、床で下側を支えられた状態で足の押圧を行え、足の重みと、姿勢によって加わる脚の重み分とで第三のエアバッグ２２から足裏への刺激が強まることとなり、足裏のマッサージ効果を高められる。
【００５９】
この足押圧部２０への足挿入時、足押圧部２０に連結されている脚押圧部１０は、足挿入の邪魔にならない位置にずらしておけば、略筒状に閉じた状態と、係合を解いて広げた状態のいずれでもかまわない。
【００６０】
足押圧部２０には足７０を挿入するだけでよいことに加え、脚押圧部１０は巻回装着タイプとなっており、足７０が脚押圧部１０を通ることはなく、足押圧部２０への足７０の挿入経路がブーツのような形状に比べて短いため、足を挿入しやすく、さらに巻回装着部位も脚押圧部１０のみであるため、マッサージ器全体として短時間で脚や足に装着でき、マッサージ器を使用準備開始から使用できる状態にすぐ移行させられる。
【００６１】
この足押圧部２０に足を挿入した状態で、足押圧部２０が靴同様に足を全体的に取り囲むようにすることで、足押圧部２０が足を適切に包囲して足からずれにくい状態となり、足のマッサージ対象箇所に対し各エアバッグ２２、２３、２４を正しく位置させて適確にマッサージが行える。また、脚押圧部１０と足押圧部２０とが連結されて位置関係が定まっていることで、脚押圧部１０を脚に装着した状態では、使用者が脚や足を動かしても足押圧部２０から足が抜けることはなく、使用の際に足と足押圧部２０とが離れないよう、使用者が足や脚を静止させるなど気を付ける煩わしさもない。
【００６２】
加えて、足押圧部２０に左右両足を挿入した状態では、使用者は歩けないなど極めて移動しにくいことから、マッサージ中に不用意に移動してしまうことを防止して、マッサージ中の安全性を確保できる。
【００６３】
一方、脚押圧部１０と足押圧部２０とを可撓性のある連結部４０で連結しており、足押圧部２０に対し連結部４０の変形する範囲で脚押圧部１０を自由に動かせる構造としていることで、脚押圧部１０の脚周りへの巻回装着を能率よく行えると共に、脚押圧部１０の脚６０への装着状態では、足押圧部２０と一体の脚押圧部１０が脚６０の動きを拘束しにくく、且つ脚６０の動きの障害にならず、脚押圧部１０を装着した状態でも使用者が足首より上の脚６０を前後左右に動かしやすく、マッサージ中の過剰な拘束感を抑えてリラックスした状態でマッサージを受けられる。その上、非使用時は脚押圧部１０を足押圧部２０上に重ねるように連結部４０で折り曲げてコンパクト化することができ、収納のためのスペースを抑えられる。
【００６４】
なお、足押圧部２０には、足押圧部２０の上部、並びに、連結部４０で折り曲げて足押圧部２０の上部に重ねた脚押圧部１０をまとめて覆う、一端が閉じた円筒形の外カバー４５を取り付けることができる（図１２、図１３参照）。この外カバー取付状態では、一般的な厚めのクッションのような形態となって室内にそのまま置いていても違和感を与えない外観とすることができ、使用しない時に収納せず出したままとしても問題なく、その場合は押し入れやクローゼット等の収納スペースにしまい込む必要がなくなり、収納の手間やスペースを省略できる。
【００６５】
前記機構部３０は、所定圧力で空気を送給するポンプ部３１と、エアバッグ１２、１３、２２、２３、２４とポンプ部３１又は外部空間との連通・非連通を切替える電磁弁３２ａ、３２ｂ、３２ｃ、３２ｄと、ポンプ部３１の駆動及び各電磁弁の開閉動作の制御を実行して各エアバッグに対する空気の給排を調節すると共に、ヒータ５０への通電を制御する制御部３８と、ポンプ部３１等へ給電するためのＡＣアダプタ等の外部電源（図示を省略）を接続するための電源接続部３９とを備え、これらを一まとまりのユニットとして足押圧部２０の下部、具体的には押圧部本体２１における空間部２５と第三のエアバッグ２２より下側で、足を挿入した状態での踵位置より前側に設けられた所定のスペースに収容されて、足押圧部２０と一体に配設される構成である。この機構部３０を、足押圧部２０への足の挿入、収容状態で足より下側に位置するよう配置していることで、この機構部３０が足首及びその上側の脚の動きを拘束したり、動きの妨げになることはない。
【００６６】
機構部３０は、足押圧部２０に足を挿入、収容した状態で踵の下面と重ならない箇所に取り付けられ（図５参照）、踵からの荷重を受けないことで、使用者が足裏を下に向けて足押圧部２０を床面に付けて立った姿勢等をとり、踵に体重がかかるような状態でも、踵に機構部３０の存在に起因する違和感を感じることはなく、且つ、機構部３０に体重相当の荷重が加わって破損を招くこともない。
【００６７】
一方、この機構部３０の足押圧部２０下部に配設される部分、すなわち、空気給排用の各機構や制御部３８をなす回路基板は、硬質のハウジング３５に収納された状態で空間部２５より下側に配設され、このハウジング３５の一部は第三のエアバッグ２２のすぐ下側に位置している（図１０参照）。こうして第三のエアバッグ２２が硬質のハウジング３５を有する機構部３０で下側から支えられることで、第三のエアバッグ２２を膨張させた際の押圧力を下側に向かわせず、上側に集中させて足裏に効率よく押圧力を与えることができる。さらに、ハウジング３５は踵以外の足裏部分から下向きの荷重を受けるものの、十分な強度を有することから、機構部３０各部を確実に保護してその破損を防止できる。
【００６８】
この機構部３０は、足押圧部２０の下部に配設される主要部に加えて、足押圧部２０の空間部２５へ足を挿入、収容した状態で左右の足の間、詳細には足の踵部分の間に位置する部位の足押圧部２０表面部に、制御部３８と接続されて使用者の操作を受け付ける操作部３７を設けられる構成である（図３、図５参照）。この操作部３７はカバー部２７を貫通して操作可能に外部に露出する状態とされる。
【００６９】
そして、操作部３７は、左右の足の間、すなわち、足押圧部２０における、足挿脱時やマッサージ時に邪魔にならず視認可能な状態を維持でき、且つ体重等の外からの荷重が加わらず、破損しにくい位置に配置されている。この足の間の位置は、従来の据え置き型のように脚を動かせない構造であれば、上方で左右の脚が並んだ配置となることで使用者の手を近付けにくく、操作が難しいものとなる位置にあたるが、本実施形態では連結部４０により脚６０を左右に動かして脚間を広げることができるので、操作に支障はない。こうして従来は操作性の点で操作部を設けにくかった足間のスペースへの操作部３７の配設が実現し、足押圧部２０のスペースを有効利用することで、マッサージ器全体のコンパクト化を図っている。
【００７０】
使用者が足押圧部２０の空間部２５に足を挿入、収容してエアバッグ２２、２３、２４でのマッサージを可能とすると共に、使用者が足裏を下に向けてリラックスした姿勢をとっている状態では、左右の足の間の操作部３７は上方を向く位置関係となる。これにより、使用者が操作部３７を操作する際に、使用者が操作部３７を見ながら確実に操作できると共に、操作部３７の下側には足は存在し得ず、操作部３７を操作する力が足に向かわないことで、足に違和感を与えない状態で操作部３７に対する操作が行え、操作性を向上させられる。
【００７１】
機構部３０は、脚押圧部１０における第一のエアバッグ１２及び第二のエアバッグ１３と、管２６を介して接続され、また、足押圧部２０における第三のエアバッグ２２、第四のエアバッグ２３、及び第五のエアバッグ２４と管２６を介して接続される構成である。より詳細には、機構部３０におけるポンプ部３１が、エアバッグごとに電磁弁３２ａ、３２ｂを介して、脚押圧部１０の各エアバッグと接続される構成である。また、ポンプ部３１は、電磁弁３２ｃを介して、足押圧部２０の第三のエアバッグ２２及び第五のエアバッグ２４と接続されると共に、電磁弁３２ｄを介して、第四のエアバッグ２３と接続される構成である。
【００７２】
各電磁弁３２ａ、３２ｂ、３２ｃ、３２ｄは、ポンプ部３１に連通する第１のポートと、エアバッグに連通する第２のポートと、外部に連通する第３のポートを有し、制御部３８による制御に応じて、第１のポートと第２のポートを連通させ、且つ第３のポートを閉じて、ポンプ部３１からエアバッグへの給気を行える状態と、第２のポートと第３のポートを連通させ、且つ第１のポートを閉じて、エアバッグの空気を外部に排気させる状態と、第１のポート、第２のポート、及び第３のポートをいずれも相互に連通させないようにして、エアバッグの内部圧力を維持できる状態、の三つの状態を切替可能とする公知の三方弁であり、詳細な説明を省略する。
【００７３】
なお、各ポートを相互連通させないようにして電磁弁のみでエアバッグの内部圧力を維持可能とする構成の他に、ポンプ部３１と電磁弁との間にエアポンプから電磁弁側への空気流通のみ許容する逆止弁を設けて、第１のポートと第２のポートを連通させ、且つ第３のポートを閉じて、ポンプ部３１からエアバッグへの給気を行える状態で、ポンプ部３１による給気を停止した場合に、逆止弁によりエアバッグの内部圧力を維持する状態を得る構成とすることもできる
【００７４】
これらポンプ部３１と電磁弁３２ａ、３２ｂ、３２ｃ、３２ｄが、各エアバッグの空気給排機構をなし、制御部３８が、ポンプ部３１を作動させると共に、電磁弁３２ａ、３２ｂ、３２ｃ、３２ｄの連通状態を調整制御することで、所望のエアバッグについて給気、排気、又は圧力維持を図り、エアバッグを膨張、収縮させ、又は所定の膨張状態で維持できる仕組みである。エアバッグの膨張時には脚や足のエアバッグの内側に位置するマッサージ対象箇所に対する押圧力を発生させる一方、収縮時には押圧が解除されることで、各エアバッグ位置で変化に富んだマッサージ効果を与えることができる。
【００７５】
なお、ポンプ部３１に対し四つの電磁弁３２ａ、３２ｂ、３２ｃ、３２ｄを設けて、五つのエアバッグの膨縮を調整する構成としているが、これに限られるものではなく、ポンプ部及び電磁弁の数や組合せは、機構部として足押圧部に配設可能な範囲で適宜選定してかまわない。
【００７６】
前記制御部３８は、空気給排機構をなすポンプ部３１、電磁弁３２ａ、３２ｂ、３２ｃ、３２ｄに対し、あらかじめ記録設定されたマッサージの内容の情報に基づいて、適切なマッサージの実行のための制御を行うと共に、ヒータ５０への通電制御を行うものである。
【００７７】
この制御部３８は、そのハードウェア構成として、ＣＰＵやメモリ、入出力インターフェース等を備えるコンピュータとなっており、メモリ等に格納されるプログラムにより、コンピュータを制御部３８として動作させる仕組みである。この制御部３８をなすコンピュータは、ＣＰＵやメモリ、ＲＯＭ等を一体的に形成されたマイクロコンピュータとされており、機構部３０に問題なく内蔵可能とされる。
【００７８】
前記ヒータ５０は、押圧部本体２１における、案内片２９の他端部の取付箇所より後方となる所定箇所、具体的には、足の爪先部が載る部位、に設けられた凹部２１ａに挿入されて配設され、ヒューズやサーミスタ等の保護用の回路部品（図示を省略）を介して制御部３８と電気的に接続されて、操作部３７を介した使用者の操作指示に基づいて制御部３８により通電を制御されるものである。使用者の操作指示によりヒータ５０が通電されて作動することで、ヒータ５０からの熱が足裏に伝わって足を温めることができる。
【００７９】
このヒータ５０の上側には、凹部２１ａより大きい略板状体で形成され、熱伝導可能で且つ容易に変形しない材質製のカバー５５が、凹部２１ａ及び押圧部本体２１における凹部２１ａ周囲の所定範囲部分を上から覆うように配設される。こうしてヒータ５０のある凹部２１ａを覆うカバー５５が、押圧部本体２１の凹部周囲部分も覆う大きさとして設けられることで、ヒータ５０からの熱がカバー５５を通じて足に伝わる一方、足からカバー５５に加わる荷重は、押圧部本体２１の凹部周囲部分に広く分散されて、凹部２１ａ内のヒータ５０には伝わらない状態とすることができ、ヒータ５０に外力が加わらず、ヒータ５０の破損を確実に防止できる。
【００８０】
また、ヒータ５０に対し、案内片２９の押圧部本体２１への取付箇所は、ヒータ５０のある押圧部本体２１における足の爪先部が載る部位より前方とされることで、足（爪先部）をヒータ５０上側に載せるにあたって案内片２９がその妨げとなることはなく、足の爪先部をヒータ５０の上側に無理なく位置させて、ヒータ５０の熱を受け取ることができる。
【００８１】
次に、本実施形態に係るマッサージ器の使用者の脚及び足へのマッサージ準備及びマッサージ実行状態について説明する。前提として、マッサージ器１の足押圧部２０は、マッサージ器を使用する使用者の足７０を挿入、収容可能な大きさであり、また脚押圧部１０は使用者の脚６０に巻回して装着可能な巻回長さを有するものとする。さらに、電源からの電力供給が正常になされて、制御部３８の制御によりポンプ部３１及び電磁弁３２ａ、３２ｂ、３２ｃ、３２ｄが適切に作動可能な状態となっているものとする。
【００８２】
準備作業として、まず、使用者はマッサージ器１を床に置き、マッサージ器の脚押圧部１０前側部分の面ファスナーによる係合を解いて、脚押圧部１０を開放状態とすると共に、この開放した脚押圧部１０を背面側に倒して、足押圧部２０の空間部２５の入口が上から見て開放した状態とする。そして、使用者は足押圧部２０に足７０を挿入して収容し（図８参照）、さらに脚押圧部１０を使用者の脚に巻回し、面ファスナーを係合させて装着する（図９参照）。
この状態で、使用者は足裏側を下に向けた姿勢をとっており、左右の足の間にある操作部３７が上方を向いている。
【００８３】
また、脚押圧部１０の各エアバッグ１２、１３のうち第一のエアバッグ１２がふくらはぎの左右側方に位置すると共に、第二のエアバッグ１３がふくらはぎの後方に位置している。そして、足押圧部２０のエアバッグ２２、２３、２４のうち第三のエアバッグ２２が足の足裏部の外側（下側）に位置する（図１０参照）と共に、第四のエアバッグ２３が足の足甲部の外側（上側）に、第五のエアバッグ２４が踵の背面側から左右側面に至る部位の外側にそれぞれ位置している（図１１参照）。
【００８４】
使用者が操作部３７に対し、マッサージモード等の指示を入力するなど操作を行うと、制御部３８が作動制御を開始し、制御部３８は空気給排機構としてのポンプ部３１及び電磁弁３２ａ、３２ｂ、３２ｃ、３２ｄに対し制御指令を送出して、これらを作動させ、各エアバッグ１２、１３、２２、２３、２４をそれぞれ膨縮させることとなる。
【００８５】
各エアバッグの膨縮にあたっては、あらかじめ複数の膨縮パターンが設定されており、マッサージ実行の際には一又は複数の膨縮パターンに従ってエアバッグを膨縮させ、且つこれを繰り返して、エアバッグによる押圧状態を様々に変化させて所望のマッサージ効果が得られるようにしている。
【００８６】
まず、脚押圧部１０について、例えば、第一のエアバッグ１２を膨張させた後、第二のエアバッグ１３を膨張させる場合について説明する。
まず、制御部３８は、空気給排機構としてのポンプ部３１及び電磁弁３２ａ、３２ｂに対し制御指令を送出して、第一のエアバッグ１２のみに対し、給気を行い、エアバッグ１２を膨張させて、ふくらはぎの左右を押圧する。給気は所定時間（例えば１５秒）継続され、押圧状態も継続する。
【００８７】
所定時間経過後、制御部３８は、新たな制御指令を送出し、第一のエアバッグ１２に対しては給気停止、圧力保持としてエアバッグ１２による押圧状態を維持したまま、さらに、第二のエアバッグ１３に対し、給気を行い、第二のエアバッグ１３を膨張させて、新たにふくらはぎの後側を押圧する。給気は所定時間（例えば５秒）継続され、押圧状態も継続する。
こうして二つのエアバッグ１２、１３を時間をずらして膨張させることで、ふくらはぎ全体を締めるのに変化を与えることができる。
【００８８】
所定時間経過後、制御部３８は、空気給排機構に対し給気停止、圧力保持の制御指令を送出して、各エアバッグ１２、１３への給気を停止する一方、排気はまだ行わないようにして、各エアバッグの膨張状態をさらに所定時間（例えば４秒）保持する。この後、制御部３８は、空気給排機構に対し新たに制御指令を送出し、排気状態に移行させて、所定時間（例えば１０秒）にわたる排気で各エアバッグを収縮させて、一連の膨縮過程を終了する。
【００８９】
この他、脚押圧部における別の膨縮パターンとして、エアバッグ１２、１３全てを一様に膨張させる場合について説明する。
まず、制御部３８は、エアバッグ１２、１３の空気給排機構としてのポンプ部３１及び電磁弁３２ａ、３２ｂに対し制御指令を送出して、第一のエアバッグ１２と、第二のエアバッグ１３の両方に対し、給気を行い、各エアバッグをそれぞれ膨張させて、脚のふくらはぎを押圧する。給気は所定時間（例えば１２秒）継続され、押圧状態も継続する。
【００９０】
こうして二つのエアバッグ１２、１３を膨張させることで、ふくらはぎ全体を締めるように押圧することができる。そして、これにより、ふくらはぎにおいて、牛の乳搾りのように周囲から圧迫し締めて血流を生じさせる（いわゆるミルキング）状態を生じさせることができる。
【００９１】
所定時間経過後、制御部３８は、空気給排機構に対し給気停止、圧力保持の制御指令を送出して、各エアバッグ１２、１３への給気を停止する一方、排気はまだ行わないようにして、各エアバッグの膨張状態をさらに所定時間（例えば４秒）保持する。この後、制御部３８は、空気給排機構に対し新たな制御指令を送出し、排気状態に移行させて、所定時間（例えば１０秒）にわたる排気で各エアバッグを収縮させて、一連の膨縮過程を終了する。
【００９２】
一方、足押圧部２０でも、脚押圧部１０と同時、又はタイミングをずらして、所定の膨縮パターンに従ってエアバッグを膨縮させることとなる。例えば、エアバッグ２２、２３、２４全てを一様に膨張させる場合、制御部３８は、空気給排機構としてのポンプ部３１及び電磁弁３２ｃ、３２ｄに対し制御指令を送出して、第三のエアバッグ２２及び第五のエアバッグ２４と、第四のエアバッグ２３の各組に対し、所定時間給気を行い、各エアバッグをそれぞれ膨張させて、足の足裏部分と足甲部分、踵周囲を押圧する。
こうして二つのエアバッグ２２、２３を膨張させることで、足全体を一様に締めるように押圧することができる。
【００９３】
所定時間経過後、制御部３８は、空気給排機構に対し給気停止、圧力保持の制御指令を送出して、各エアバッグ２２、２３、２４への給気を停止する一方、排気はまだ行わないようにして、各エアバッグの膨張状態をさらに所定時間保持する。この後、制御部３８は、空気給排機構に対し新たな制御指令を送出し、排気状態に移行させて、所定時間にわたる排気で各エアバッグを収縮させる。以上の一連の膨縮過程を、必要に応じて複数回繰り返すようにすることもできる。
【００９４】
この他、足押圧部２０の第三、第五の各エアバッグ２２、２４の組と、第四のエアバッグ２３との膨張タイミングをずらす場合、例えば、第三のエアバッグ２２と第五のエアバッグ２４を膨張させた後、第四のエアバッグ２３を膨張させる場合には、制御部３８は、空気給排機構としてのポンプ部３１及び電磁弁３２ｃ、３２ｄに対し制御指令を送出して、第三のエアバッグ２２と第五のエアバッグ２４に対し、所定時間給気を行い、第三のエアバッグ２２と第五のエアバッグ２４を膨張させて、足の足裏部と踵の周囲をそれぞれ押圧する。
【００９５】
所定時間経過後、制御部３８は、新たな制御指令を送出し、第三のエアバッグ２２と第五のエアバッグ２４に対しては給気停止、圧力保持として各エアバッグ２２、２４による押圧状態を維持したまま、さらに、第四のエアバッグ２３に対し、所定時間給気を行い、第四のエアバッグ２３を膨張させて、新たに足の足甲部分を押圧する。
【００９６】
こうして二つのエアバッグ２２、２４と、さらに別のエアバッグ２３とを時間をずらして膨張させることで、足全体を締めるのに足裏側から締めていくようにするなどの変化を与えることができる。
【００９７】
所定時間経過後、制御部３８は、空気給排機構に対し給気停止、圧力保持の制御指令を送出して、第四のエアバッグ２３への給気を停止する一方、排気はまだ行わないようにして、各エアバッグの膨張状態をさらに所定時間保持する。この後、制御部３８は、空気給排機構に対し新たに制御指令を送出し、排気状態に移行させて、所定時間にわたる排気で各エアバッグを収縮させる。以上の一連の膨縮過程を、必要に応じて複数回繰り返すようにすることもできる。
【００９８】
あらかじめ設定されたマッサージモードでは、複数の膨縮パターンの中から所定の膨縮パターンが適宜選択されて所定の順序で組み合わされており、こうしたマッサージモードを使用者が選択すると、制御部３８がマッサージモードに従ってエアバッグ１２、１３、２２、２３、２４の膨縮を実行するようにしていることで、使用者は特別な操作を要求されることなく、各エアバッグによる効果的な押圧の組み合わせを容易に生じさせることができ、効率的なマッサージを受けることができる。マッサージモードとしては、膨縮パターンの組み合わせをさらに複数回繰り返すようにしてもよい。
【００９９】
また、脚押圧部１０や足押圧部２０における各エアバッグの膨縮パターンとしては、上記の同時に膨縮させたり、タイミングをずらして膨縮させたりするものに限られず、他の膨縮パターン、例えば、各エアバッグを同時に膨張させたり、タイミングをずらして膨張させたりする中で、膨張を段階をおいて徐々に進行させるようにするパターンや、連続でなく断続的に膨張させるようにするパターンなども採用することができ、さらにこれらを適宜組み合わせて、選択可能なマッサージモードとしてもかまわない。
【０１００】
続いて、本実施形態に係るマッサージ器におけるヒータによる使用者の足の加熱状態について説明する。
使用者が足押圧部２０に足７０を挿入して収容した状態では、ヒータ５０の上側に足の爪先部が位置しており（図１０参照）、ヒータ５０から足へ伝熱可能となっている。この状態で、各エアバッグによる押圧のマッサージと合わせて、又は単独で、ヒータ５０による足の加温が行われるように、使用者が操作部３７に対し、ヒータ５０の作動に係るスイッチ等の操作を行うと、制御部３８はヒータ５０への通電を開始させる。
【０１０１】
押圧部本体２１の凹部２１ａに配設されるヒータ５０が通電により発熱すると、ヒータ５０からの熱がカバー５５と内カバー部２８を通じて足の爪先部に伝わり、下から足を温める状態を生じさせる。
【０１０２】
このように、空間部２５に挿入されてマッサージを受けようとする足に対し、ヒータ５０で発生させた熱を下方から伝えられることで、各エアバッグによるマッサージと同時又はマッサージとは別途に、足をその爪先部を中心として温めることができ、マッサージを受ける足を冬季等においても足が冷たくない快適な状態に維持して、マッサージ器の利用を促せると共に、ヒータ５０による足への加温を行うことで、足の血行促進等について、各エアバッグによるマッサージとの相乗効果が期待でき、足をより一層リラックスした状態とすることができる。
【０１０３】
所定時間経過後、制御部３８は、ヒータ５０への通電を停止させる制御を行い、ヒータ５０による足の加熱を終了させる。この他、使用者による操作部３８での足加熱停止に係る操作に基づいて、制御部３８がヒータ５０への通電を停止させ、ヒータ５０による足の加熱を終了させるようにしてもかまわない。
【０１０４】
なお、ヒータ５０による足の加熱は、操作部３７に対しこの加熱を目的とする特別な操作を行うことで実行される構成としているが、これに限らず、制御部３８の制御で選択実行可能なマッサージモードとして、足押圧部２０における各エアバッグの膨縮のタイミングと合わせてヒータ５０による加熱を並行して行うようにするモードをあらかじめ設定して、これを操作部３７での入力操作で選択可能とすることもでき、ヒータ５０の作動に係る特別な操作を行うことなく、各エアバッグによる押圧とヒータ５０による加熱を適切に実行する状態を容易に生じさせることができ、さらに効率的にマッサージを行ってマッサージによるリラックス効果を高められる。
【０１０５】
さらに、本実施形態に係るマッサージ器における足押圧部から引き出した内カバー部の再挿入状態について説明する。
空間部２５に挿入された袋状の内カバー部２８が、マッサージ器の使用を経た後、清掃や乾燥等を目的として、裏返し状態で空間部２５の外に一時的に引き出された場合（図１５参照）、新たにマッサージ器を使用する前に内カバー部２８を元に戻す作業が必要となる。
【０１０６】
この引き出された内カバー部２８を空間部２５に戻す際、裏返していた内カバー部２８を元の形に戻しながら空間部２５に少しずつ挿入するようになるが、空間部２５では案内片２９が内カバー部２８の上側に位置して、内カバー部２８がこの案内片２９位置より上側に進まないようにしている。
【０１０７】
そして、案内片２９は、足上面部分用の押圧手段としての第四のエアバッグ２３の下側に位置することで、内カバー部２８が空間部２５の奥方、すなわち前方側の端まで挿入されようとする中で、内カバー部２８は案内片２９に案内、誘導されて、第四のエアバッグ２３の上側への進行を抑えられる（図１６、図１７参照）。
【０１０８】
これにより、使用者が、この内カバー部２８を、例えば第四のエアバッグ２３の上側の隙間など、本来位置すべき空間部２５ではない足押圧部２０の別の隙間に誤って入れてしまうようなことはなく、内カバー部２８を第四のエアバッグ２３の下側の空間部２５に正しく再配置することができる（図１８参照）。その結果、使用者が内カバー部２８内に足を入れて再度マッサージを受けようとする場合に、内カバー部２８内に入れた足を空間部２５に適切に挿入した状態が得られる。
【０１０９】
また、案内片２９の他端部は押圧部本体２１における足の爪先部が載る部位より前方に取り付けられることで、空間部２５では足を特に支障なく移動させられ、足押圧部２０の足を載せるべき箇所に足を無理なく位置させることができる。
【０１１０】
こうして足押圧部２０の空間部２５に足が正しく入った状態では、足と押圧手段である各エアバッグ２２、２３、２４との正しい位置関係が確保されて、足が押圧によるマッサージを適切に受けることができる。また、この空間部２５に正しく入った足からは、内カバー部２８とこれに導かれる足とを空間部２５ではない別の隙間に入れた場合のように、足押圧部２０の内部機構に過大な力が加わることはなく、内部機構の破損も確実に防止できる。
【０１１１】
このように、本実施形態に係るマッサージ器は、空間部２５に挿入した足の上面部分を第四のエアバッグ２３で押してマッサージ可能とされる足押圧部２０で、帯状の案内片２９がエアバッグ２３の下側に位置すると共に、カバー部２７内において内カバー部２８の袋口縁部分より上側に案内片２９の一端部が位置するようにされて、空間部２５から引き出された内カバー部２８を空間部２５に戻す場合に、案内片２９が内カバー部２８の上側に位置して、内カバー部２８がこの案内片２９位置より上側に向かうのを阻止することから、内カバー部２８のエアバッグ２３上側の隙間への進行を案内片２９で防ぎつつ、内カバー部２８が空間部２５の奥まで挿入される際に上側の案内片２９に案内、誘導されることとなり、内カバー部２８をエアバッグ２３の下側の空間部２５内へ正しく再配置することができ、使用者が内カバー部２８内に足を入れて再度マッサージを受けようとする場合に、内カバー部２８内に入れた足を空間部２５に適切に挿入した状態にでき、足と各エアバッグとの相対位置関係を正しく維持して、エアバッグによるマッサージを適切且つ効率よく実行できる。
【０１１２】
なお、前記実施形態に係るマッサージ器においては、マッサージ対象箇所を押す押圧手段として、空気の給排により膨縮するエアバッグを用いる構成としているが、これに限らず、他の押圧手段を用いることができ、例えば、熱を加えると変形する形状記憶合金等を用いることができる。例えば、脚の所定範囲を取り囲むように巻回される脚押圧部に内蔵された形状記憶合金が、常温では巻回する脚の表面部分に沿う形状とされ、単なる巻回状態では脚を締めないものとされる一方、通電加熱等により熱を加えると変形してより屈曲した形状になろうとし、脚押圧部による拘束で脚周囲に強制的に位置させられることで、弾性変形状態となり、生じた弾性反力で脚を押圧する状態を得られる構成とすることができる。
【０１１３】
また、これとは逆に、例えば脚押圧部に内蔵される形状記憶合金が、常温では巻回する脚の表面部分に沿わない形状とされ、巻回状態では脚押圧部による拘束で弾性変形し、その弾性反力で脚を押圧するようにされる一方、通電加熱等により熱を加えると変形して脚の表面部分に沿う形状となるようにして、弾性反力を消失させ、脚を押圧しない状態を得る構成とすることもできる。
【０１１４】
また、前記実施形態に係るマッサージ器においては、機構部３０各部に対し電源接続部を介してＡＣアダプタ等の外部電源（図示を省略）を接続して給電を行う構成としているが、この他、機構部が、各エアバッグを作動させるポンプ部や電磁弁その他の電源として、電池を交換可能に内蔵する構成とすることもできる。
【０１１５】
この場合、電源となる電池が機構部に内蔵されて、外部から給排機構その他を作動させるための電力を導入せずに済むようにしていることから、使用にあたって電源接続部と外部電源とを接続する作業を行わずに済み、使用者の煩わしさを解消できる。また、電源接続部と電源等とを接続するケーブル等の部品を省略でき、使用の際に使用者がこうしたケーブル等による拘束を受けずに済み、取り扱いの自由度を高めて使い勝手をさらに向上させられる。
電池としては、活物質が電池内に保持される一般的な乾電池（マンガン電池、アルカリ電池）や二次電池（ニッケル水素電池、リチウムイオン電池）の他、活物質を補充可能な燃料電池のうち小型のものを用いることもできる。
【０１１６】
なお、こうして電源として電池を採用するにあたり、機構部に内蔵された電池を頻繁に交換する機会が生じる場合には、電池交換のために機構部３０の一部を開放可能とすると共に、この機構部３０の一部開放に対応して、足押圧部のカバー部に、その一部のみを必要に応じ開口状態とするためのファスナー等の係合手段を設けるようにしてもよい。
【符号の説明】
【０１１７】
１                マッサージ器
１０              脚押圧部
１０ａ            表面材
１２              第一のエアバッグ
１２ａ            左エアバッグ部
１２ｂ            右エアバッグ部
１２ｃ            中間流路部
１３              第二のエアバッグ
２０              足押圧部
２１              押圧部本体
２１ａ            凹部
２２              第三のエアバッグ
２２ａ            突起
２３              第四のエアバッグ
２４              第五のエアバッグ
２５              空間部
２６              管
２７              カバー部
２８              内カバー部
２９              案内片
３０              機構部
３１              ポンプ部
３２ａ、３２ｂ    電磁弁
３２ｃ、３２ｄ    電磁弁
３５              ハウジング
３７              操作部
３８              制御部
３９              電源接続部
４０              連結部
４５              外カバー
５０              ヒータ
５５              カバー
６０              脚
７０              足
【図１】
2019047836.tif 000003
【図２】
2019047836.tif 000004
【図３】
2019047836.tif 000005
【図４】
2019047836.tif 000006
【図５】
2019047836.tif 000007
【図６】
2019047836.tif 000008
【図７】
2019047836.tif 000009
【図８】
2019047836.tif 000010
【図９】
2019047836.tif 000011
【図１０】
2019047836.tif 000012
【図１１】
2019047836.tif 000013
【図１２】
2019047836.tif 000014
【図１３】
2019047836.tif 000015
【図１４】
2019047836.tif 000016
【図１５】
2019047836.tif 000017
【図１６】
2019047836.tif 000018
【図１７】
2019047836.tif 000019
【図１８】
2019047836.tif 000020